(57)【要約】【課題】落ち葉などによって排水口が塞がれることがなく、バルコニーなどの浸水を長期間に渡って防止することができる、排水性能の優れた雨水排水器具を提供する。【解決手段】雨水排水器具１０は、断面略Ｌ字型に形成されたフランジ部１２およびこのフランジ部１２の垂直面１２ｂから集水開口部１４を介して連続形成されたドレンパイプ１５を有するドレン本体１１と、水平方向に開口する複数の排水孔２４が設けられ、集水開口部１４の排水方向上流側に配置されるストレーナ２０とを備える。集水開口部１４の天井高さＨ１は、ドレンパイプ１５の天井高さＨ２より高い位置に形成されている。【選択図】図１
2010270571.tif 000002
【特許請求の範囲】
【請求項１】
水平面および垂直面を有し断面略Ｌ字型に形成されたフランジ部、および前記垂直面に開口するドレンパイプが設けられたドレン本体と、複数の排水孔が形成されて前記ドレン本体に装着されるストレーナと、を備える雨水排水器具であって、
前記ドレン本体は、前記ドレンパイプが前記垂直面に形成された集水開口部を介して前記フランジ部から連続形成されると共に、前記集水開口部の天井が前記ドレンパイプの天井より高い位置に設定され、
前記ストレーナは、複数の前記排水孔が水平方向に長いスリット状に形成され、前記集水開口部の排水方向上流側に着脱自在に装着されることを特徴とする雨水排水器具。
【請求項２】
前記ストレーナは、前記集水開口部に対して縦方向に設けられた少なくとも１本の縦支柱と、前記縦支柱に所定の間隔で水平に固定された複数の板状部材と、前記板状部材間に形成されて前記集水開口部に対して横方向に長く開口する複数の前記排水孔と、
を備えることを特徴とする請求項１に記載の雨水排水器具。
【請求項３】
前記板状部材は、前記集水開口部の左右両端から幅方向中央に向かうに従って次第に排水方向上流方向に突出する略半円形に形成されることを特徴とする請求項２に記載の雨水排水器具。
【発明の詳細な説明】
【技術分野】
【０００１】  本発明は、雨水排水器具に関し、より詳細には、落ち葉などによって排水口が塞がれることがなく、バルコニーなどの浸水を長期間に渡って防止することができる雨水排水器具に関する。
【背景技術】
【０００２】  従来、ビルの屋上やバルコニーなどには、雨水を排水するためにドレンが設けられている。従来のドレンとしては、雨水を上方から取り入れる縦型ドレン、および雨水を横から取り入れる横型ドレンが知られている。しかしながら、ドレンの排水口が落ち葉などの異物で塞がれると、雨水の排水が不能となってバルコニーの床面に雨水が溜まり、内部に侵入して建築物を腐食するなどして劣化させる虞があった。【０００３】  横型ドレンとしては、図４に示すように、雄ねじ部２ｂが形成された円筒部２ａおよびフランジ状ストッパ２ｃを有する本体部材２と、短管部３ａおよびフランジ３ｂを有する中間部材３と、円筒部４ａおよび雌ねじ部４ｂを有する固定部材４と、を備えるバルコニー排水器具１が開示されている（例えば、特許文献１参照。）。バルコニー排水器具１の取り付けは、本体部材２の円筒部２ａを壁材５の排水孔５ａに挿通し、雄ねじ部２ｂを固定部材４の雌ねじ部４ｂに螺合させて、フランジ状ストッパ２ｃとフランジ３ｂとで壁材５を狭持して固定することで行われる。このバルコニー排水器具１は、３つの部品から構成された分離型であり、その組み付けは現場で行うようになっているので、組み付けに多くの工数を要する問題があった。【０００４】  上記問題を解決すべく、ドレン管を一体成型したものとしては、図５に示すように、可撓性樹脂管６ａに樹脂製のフランジ部６ｂを一体成型し、可撓性樹脂管６ａの先端に紐状の引き具７を取り付けたルーフドレン装置（例えば、特許文献２参照。）や、図６に示すように、横型のドレン管８の先端に縦向きフランジ８ａ、およびベースプレート８ｂを形成し、ドレン管８の先端にドレンカバー９を細長部材９ａの弾性力によってセットするようにしたもの（例えば、特許文献３参照。）が開示されている。
【先行技術文献】
【特許文献】
【０００５】
【特許文献１】  特開２００９−６８２１９号公報
【特許文献２】  特開２００５−２３２８７７号公報
【特許文献３】  特開平９−１７０３０９号公報
【発明の概要】
【発明が解決しようとする課題】
【０００６】  特許文献２、３に開示されているドレンは、ドレン管とフランジ部とが一体成型されて組み付け工数の削減が図られている。しかしながら、特許文献２のドレンは、フランジ部６ｂから一体成形されたドレン管を可撓性樹脂管６ａで形成することによって、組み付けの容易化を図ったものであり、降雨量が極めて多い場合や、落ち葉などで排水口が塞がれた場合の排水性能維持に対する記載はない。【０００７】  また、特許文献３のドレンは、ドレン管８の先端にドレンカバー９を細長部材９ａの弾性力によってセット可能として、落ち葉などによる排水口の詰まりを防止しているが、ドレンカバー９が小さく、排水性能維持が必ずしも十分ではなく、改善の余地があった。【０００８】  本発明は、前述した課題に鑑みてなされたものであり、その目的は、落ち葉などによって排水口が塞がれることがなく、バルコニーなどの浸水を長期間に渡って防止することができる雨水排水器具を提供することにある。
【課題を解決するための手段】
【０００９】  本発明の上記目的は、下記の構成により達成される。
（１）水平面および垂直面を有し断面略Ｌ字型に形成されたフランジ部、および前記垂直面に開口するドレンパイプが設けられたドレン本体と、複数の排水孔が形成されて前記ドレン本体に装着されるストレーナと、を備える雨水排水器具であって、
前記ドレン本体は、前記ドレンパイプが前記垂直面に形成された集水開口部を介して前記フランジ部から連続形成されると共に、前記集水開口部の天井が前記ドレンパイプの天井より高い位置に設定され、
前記ストレーナは、複数の前記排水孔が水平方向に長いスリット状に形成され、前記集水開口部の排水方向上流側に着脱自在に装着されることを特徴とする雨水排水器具。
（２）前記ストレーナは、前記集水開口部に対して縦方向に設けられた少なくとも１本の縦支柱と、前記縦支柱に所定の間隔で水平に固定された複数の板状部材と、前記板状部材間に形成されて前記集水開口部に対して横方向に長く開口する複数の前記排水孔と、
を備えることを特徴とする上記（１）に記載の雨水排水器具。
（３）前記板状部材は、前記集水開口部の左右両端から幅方向中央に向かうに従って次第に排水方向上流方向に突出する略半円形に形成されることを特徴とする上記（２）に記載の雨水排水器具。
【発明の効果】
【００１０】  本発明の雨水排水器具によれば、ドレンパイプが、フランジ部の垂直面に設けられた集水開口部を介してフランジ部から連続形成されている。また、集水開口部の天井は、ドレンパイプの天井より高い位置に設定されているので、大量の雨水が雨水排水器具に集中しても排水不良が生じることはなく、効率的に排水することができる。【００１１】  また、雨水排水器具の前面に配設されるストレーナには、水平に開口する複数の排水孔が設けられているので、水に浮きながら雨水排水器具に流れ着く落ち葉などの異物は、水面に浮いた状態（水平状態）のまま、水平に開口する排水孔から雨水と共にドレンに流入・排出されて、ストレーナを詰まらせることがなく、長期間に亘ってストレーナ掃除の負担が軽減されると共に、バルコニーなどの浸水を確実に防止することができる。【００１２】  また、ストレーナは、集水開口部の全面を覆ってドレンパイプの天井より高い位置にまで設けられているので、通常の降雨量のときに使用されるストレーナの下部分が異物によって塞がれていても、雨水は異物を越えて集水開口部に流入してドレンパイプに排出され、これにより長期間に亘って排水機能が維持される。【００１３】  ストレーナの板状部材は、集水開口部の左右両端から幅方向中央に向かうに従って次第に排水方向上流方向に突出する略半円形に形成されているので、雨水と共に流れてくる落ち葉などの異物は、板状部材の形状に沿って中央部から左右両側に排除されて、異物によるストレーナの詰まりが自動的に軽減される。更に、集水開口部の前に略半円柱状の広い空間が形成されるので、雨水が支障なくストレーナから集水開口部に流入して効率よく排水される。
【図面の簡単な説明】
【００１４】
【図１】本発明に係る一実施形態の雨水排水器具の斜視図である。
【図２】図１に示す雨水排水器具の側面図である。
【図３】図１に示す雨水排水器具の平面図である。
【図４】従来のバルコニー排水器具の分解斜視図である。
【図５】他の従来のルーフドレン装置の斜視図である。
【図６】更に他の従来のルーフドレンの斜視図である。
【発明を実施するための形態】
【００１５】  以下、本発明に係る雨水排水器具の実施形態を図面に基づいて詳細に説明する。図１は本発明の雨水排水器具の斜視図、図２は側面図、図３は平面図である。
【００１６】  図１から図３に示すように、雨水排水器具１０は、ドレン本体１１と、ストレーナ２０とを備えている。ドレン本体１１は、水平面１２ａと垂直面１２ｂとによって断面略Ｌ字型に形成されたフランジ部１２と、垂直面１２ｂに開口する角型の開口孔１３を有する集水開口部１４と、集水開口部１４から連続して形成された角筒状のドレンパイプ１５とを備える。
【００１７】  集水開口部１４およびドレンパイプ１５の底面１４ａ、１５ａは、水平面１２ａの上面と略同一面であり、同じ高さとなっている。また、集水開口部１４の幅Ｗ２およびドレンパイプ１５の幅Ｗ３は同一幅となっている。集水開口部１４の天井１４ｂの高さＨ１は、ドレンパイプ１５の天井１５ｂの高さＨ２より高くなっている（Ｈ１＞Ｈ２）。集水開口部１４の天井１４ｂとドレンパイプ１５の天井１５ｂとを繋ぐ連結部１４ｃは、傾斜面となっており、雨水が集水開口部１４からドレンパイプ１５にスムースに流入するようになっている。
【００１８】  ドレン本体１１は、例えば、ＦＲＰなどの合成樹脂で一体成形されており、その大きさは、例えば、全長Ｌ１略３０ｃｍ、幅（Ｗ１）略１４ｃｍであり、集水開口部１４の長さＬ２略７ｃｍ、ドレンパイプ１５の長さＬ３略１７ｃｍである。また、集水開口部１４およびドレンパイプ１５の幅Ｗ２、Ｗ３は略７ｃｍであり、集水開口部１４の天井１４ｂの高さＨ１は略１４ｃｍ、ドレンパイプ１５の天井１５ｂの高さＨ２は略５ｃｍである。集水開口部１４およびドレンパイプ１５には、成型時の型抜き、および雨水の流動を容易にするため、勾配を設けることが望ましい。
【００１９】  ストレーナ２０は、集水開口部１４の開口孔１３の全面を覆うように排水方向上流側に配設され、落ち葉などの大きな異物がドレン本体１１内に流入するのを防止するためのものである。ストレーナ２０は、平行に配置された一対の縦支柱２１、２１と、所定の間隔で上下方向に離間し、縦支柱２１、２１に水平に固定された複数（図に示す実施形態では７枚）の板状部材２２、２２・・・と、縦支柱２１、２１から後方に向かって略ハの字型に突出形成された弾性を有する一対の取付脚２３、２３とを有し、例えば、合成樹脂で一体成形されている。
【００２０】  板状部材２２は、集水開口部１４の左右両端から幅方向中央に向かうに従って次第に排水方向上流方向に突出する略半円形に形成された平板であり、上下方向に隣接する板状部材２２、２２間には、水平方向に長く開口する排水孔２４がそれぞれ形成されている。
【００２１】  取付脚２３は、弾性を有する幅細の板状部材によって形成されており、縦支柱２１、２１から後方に向けて略ハの字型に突出形成されている。取付脚２３の先端幅Ｗ４は、集水開口部１４の幅Ｗ２より大きくなっている。ストレーナ２０は、取付脚２３の幅Ｗ４を押し縮めながら開口孔１３から集水開口部１４に挿入し、取付脚２３を弾性力によって集水開口部１４の内側面に押圧して、ドレン本体１１に着脱自在に取り付けられる。
【００２２】  ストレーナ２０は、例えば、幅Ｗ５略９ｃｍ、高さＨ３略１５ｃｍ、長さＬ４略３ｃｍであり（取付脚２３を除く）、幅および高さ共に集水開口部１４の幅Ｗ２、および高さＨ１より大きく、開口孔１３の全面をカバーしている。板状部材２２は、幅略９ｃｍ、長さ略３ｃｍ、厚さ略０．５ｃｍの半円形板である。また、隣接する板状部材２２、２２間に形成される排水孔２４は、幅略９ｃｍ、高さ略１．６ｃｍの長方形の孔である。
【００２３】  次に、雨水排水器具がバルコニーの床面（図示せず）に設置されている場合を例にとって、本実施形態の作用を説明する。尚、雨水排水器具１０は、雨水を確実に排水してバルコニーの浸水を防止するため、バルコニーの床面に設けた凹部に配設することが好ましい。
【００２４】  ストレーナ２０が落ち葉などの異物によって塞がれていない時（正常時）、バルコニーに降った雨水は、バルコニーの傾斜に沿って雨水排水器具１０側に集められて、開口孔１３、集水開口部１４、およびドレンパイプ１５を介して外部に排水される。
【００２５】  このとき、水に浮くような軽い異物が雨水と共に流れてくるが、落ち葉などの略板状の異物は、水面に浮いた水平状態でストレーナ２０に達する。一方、ストレーナ２０の排水孔２４は、横方向（水平方向）に長く開口する長方形孔であるので、水面に水平に浮いた状態の小さな落ち葉は、容易に排水孔２４を通過して雨水と共にドレンパイプ１５から外部に排出され、ストレーナ２０を詰まらせる要因とはならない
【００２６】  一方、排水孔２４を通過できない大きさの落ち葉は、板状部材２２の円弧形状に沿って中央部から左右両側に流され、ストレーナ２０の左右両側部分に集められて堆積する。これにより、ストレーナ２０は目詰まりし難く、目詰まりが自動的に軽減される。
【００２７】  異物を除去することなく長期間使用し続けると、ストレーナ２０の中央部にも落ち葉などが次第に集積し、排水性能が低下する。従来のドレンは、ストレーナとドレンパイプの大きさが略同じ大きさであるので、ストレーナの全面が同時に目詰まりし易く、排水障害が発生する場合が多い。
【００２８】  これに対して、本実施形態の雨水排水器具１０は、雨水が通常流れるストレーナ２０の下部分から落ち葉などの堆積が始まり、それより上部分への堆積は殆どない。従って、一度に大量の降雨量があっても、雨水はストレーナ２０の下部分に堆積した落ち葉を乗り越えて集水開口部１４内に流入し、ドレンパイプ１５から外部に排水される。
【００２９】  これにより、ストレーナ２０の目詰まりに起因するバルコニーの浸水を確実に防止することができる。また、ストレーナ２０の全面に落ち葉や塵埃などの異物が堆積することは殆どなく、長期間に亘って安定して排水機能が維持される。
【００３０】  上記したように、本実施形態の雨水排水器具１０によれば、集水開口部１４の天井１４ｂは、ドレンパイプ１５の天井１５ｂより高い位置に設定されているので、大量の雨水が雨水排水器具１０に集中しても排水不良が生じることはなく、効率的に排水することができる。
【００３１】  また、ストレーナ２０は、複数の排水孔２４が水平に開口するので、水面に浮いた状態で流れ着く落ち葉などは、雨水と共に排水孔２４を容易に通過して排出され、ストレーナ２０の目詰まりが防止される。これにより、長期間に亘ってストレーナ掃除の負担が軽減されると共に、バルコニーなどの浸水を確実に防止することができる。
【００３２】  また、ストレーナ２０は、ドレンパイプ１５の天井１５ｂより高い位置にまで設けられているので、ストレーナ２０の下部分が異物によって塞がれていても、雨水は異物を越えて集水開口部１４に流入して排出され、長期間に亘って良好な排水機能が維持される。
【００３３】  更に、ストレーナ２０の板状部材２２は、左右両端から幅方向中央に向かうに従って次第に排水方向上流方向に突出する略半円形に形成されているので、雨水と共に流れてくる落ち葉などの異物は、板状部材２２の形状に沿って左右両側に排除され、異物によるストレーナ２０の詰まりが自動的に軽減される。
【００３４】  尚、本発明は、前述した実施形態に限定されるものではなく、適宜、変形、改良、等が可能である。例えば、上記の実施形態では、集水開口部およびドレンパイプは角型として説明したが、これに限定されず丸型など任意形状が可能である。
【符号の説明】
【００３５】１０    雨水排水器具
１１    ドレン本体
１２    フランジ部
１２ａ  水平面
１２ｂ  垂直面
１４    集水開口部
１４ｂ  集水開口部の天井
１５    ドレンパイプ
１５ｂ  ドレンパイプの天井
２０    ストレーナ
２１    縦支柱
２２    板状部材
２４    排水孔
Ｈ１    集水開口部の天井高さ
Ｈ２    ドレンパイプの天井高さ
【図１】
2010270571.tif 000003
【図２】
2010270571.tif 000004
【図３】
2010270571.tif 000005
【図４】
2010270571.tif 000006
【図５】
2010270571.tif 000007
【図６】
2010270571.tif 000008